(57)【要約】【課題】  簡単な操作で、複数の電話機４０のそれぞれに割り当てられた電話番号を確認することができる電話システム１０を提供する。【解決手段】  本発明では、番号確認装置３０が、各電話機４０に割り当てられた電話番号を送信し、送信された電話番号を自電話機４０の電話番号として確認する旨の応答があった電話機４０に対して、直前に送信した電話番号を対応付けて番号管理テーブル格納部３１に確認登録する。番号確認装置３０は、電話番号の確認が終了した場合に、それぞれの電話機４０の識別情報に対応付けて電話番号を格納する電話番号管理テーブルを主装置２０へ送る。主装置２０は、当該電話番号管理テーブルを参照して、着信先の電話機４０の電話番号を指定する呼を、当該電話番号に対応する電話機４０に着信させる。【選択図】  図１
2008227903.tif 000002
【特許請求の範囲】
【請求項１】
複数の電話機とそれぞれの前記電話機の識別情報に対応付けて電話番号を格納する電話番号管理テーブルを参照して着信先の電話機の電話番号を指定する呼を当該電話番号に対応する電話機へ着信させる主装置とそれぞれの前記電話機に割り当てられた番号を確認する番号確認装置とを備える電話システムであって、
前記番号確認装置は、
電話番号を含む番号通知を当該電話番号に対応する電話機へ送信する番号送信手段と、
前記当該電話番号に対応する電話機のいずれかから当該電話機の識別情報を含む番号確認登録要求を受信した場合に当該番号確認登録要求に含まれる電話機の識別情報と送信された前記番号通知に含まれていた電話番号を対応付けて前記電話番号管理テーブルに確認登録する番号確認登録手段とを有し、
前記当該電話番号に対応する電話機のそれぞれは、
前記番号確認装置から前記番号通知を受信した場合に当該番号通知に含まれている電話番号を表示する表示手段と、
ユーザからの操作情報を受け付ける操作手段と、
前記表示手段によって表示されている電話番号を自電話機の電話番号として確認する旨の第一の操作を前記操作手段を介してユーザから受け付けた場合に自電話機の識別情報を含む番号確認登録要求を前記番号確認装置へ送信する番号確認登録要求手段とを有することを特徴とする電話システム。
【請求項２】
請求項１に記載の電話システムであって、
前記当該電話番号に対応する電話機のそれぞれは、
電話機の電話番号を確認するための番号確認処理の開始を要求する旨の第二の操作を前記操作手段を介してユーザから受け付けた場合に当該番号確認処理の開始を要求する番号確認開始要求を前記番号確認装置へ送信する番号確認開始要求手段をさらに有し、
前記番号確認装置は、
前記当該電話番号に対応する電話機のいずれかから前記番号確認開始要求を受信した場合に電話番号を１つ選択し選択した電話番号を含む番号通知を前記番号送信手段に送信させる番号選択手段をさらに有することを特徴とする電話システム。
【請求項３】
請求項２に記載の電話システムであって、
前記番号確認装置は、
電話番号を確認する対象となる電話機の識別情報を格納する電話機情報格納手段をさらに有し、
前記番号選択手段は、
前記番号確認登録手段によって前記番号確認登録要求を送信してきた電話機の識別情報に電話番号が対応付けられて前記電話番号管理テーブルに確認登録された後に前記電話番号管理テーブルおよび前記電話機情報格納手段を参照して電話番号の確認登録が対応付けられていない電話機の識別情報が残っている場合には予め定められたルールに従って次の電話番号を選択し選択した電話番号を含む番号通知を前記番号送信手段に送信させることを特徴とする電話システム。
【請求項４】
請求項３に記載の電話システムであって、
前記電話機の番号確認開始要求手段は、
前記番号確認処理において前記当該電話番号に対応する電話機に最初に送信される番号通知に含まれる電話番号を示す第三の操作を前記操作手段を介してユーザから受け付けた後に前記第二の操作を前記操作手段を介してユーザから受け付けた場合に当該第三の操作で示された電話番号を前記番号確認開始要求に含めて前記番号確認装置へ送信し、
前記番号確認装置の番号選択手段は、
前記当該電話番号に対応する電話機のいずれかから受信した番号確認開始要求に含まれている電話番号を前記当該電話番号に対応する電話機へ最初に送信する番号通知に含める電話番号として選択することを特徴とする電話システム。
【請求項５】
複数の電話機のそれぞれに割り当てられた電話番号を確認する番号確認装置であって、
電話番号を含む番号通知を前記当該電話番号に対応する電話機へ送信する番号送信手段と、
前記当該電話番号に対応する電話機のいずれかから当該電話機の識別情報を含む番号確認登録要求を受信した場合に、当該番号確認登録要求に含まれる電話機の識別情報の送信された前記番号通知に含まれていた電話番号を対応付けて電話番号管理テーブルに確認登録する番号確認登録手段とを備えることを特徴とする番号確認装置。
【請求項６】
請求項５に記載の番号確認装置であって、
前記当該電話番号に対応する電話機のいずれかから電話機の電話番号を確認するための番号確認処理の開始を要求する番号確認開始要求を受信した場合に、電話番号を１つ選択し選択した電話番号を含む番号通知を前記番号送信手段に送信させる番号選択手段をさらに備えることを特徴とする番号確認装置。
【請求項７】
請求項６に記載の番号確認装置であって、
電話番号を確認登録する対象となる電話機の識別情報を格納する電話機情報格納手段をさらに備え、
前記番号選択手段は、
前記番号確認登録手段によって前記番号確認登録要求を送信してきた電話機の識別情報に電話番号が対応付けられて前記電話番号管理テーブルに確認登録された後に前記電話番号管理テーブルおよび前記電話機情報格納手段を参照して電話番号の確認登録が対応付けられていない電話機の識別情報が残っている場合には予め定められたルールに従って次の電話番号を選択し選択した電話番号を含む番号通知を前記番号送信手段に送信させることを特徴とする番号確認装置。
【請求項８】
請求項７に記載の番号確認装置であって、
前記番号確認開始要求には前記番号確認処理において前記当該電話番号に対応する電話機に最初に送信される番号通知に格納される電話番号が格納されており、
前記番号選択手段は、
前記当該電話番号に対応する電話機のいずれかから受信した番号確認開始要求に含まれている電話番号を前記当該電話番号に対応する電話機へ最初に送信する番号通知に含める電話番号として選択することを特徴とする番号確認装置。
【発明の詳細な説明】
【技術分野】
【０００１】
本発明は、複数の電話機のそれぞれに割り当てられた電話番号を確認する技術に関する。
【背景技術】
【０００２】
特許文献１には、電話番号を確認したい回線に番号確認用送受信装置を接続し、番号確認用送受信装置から番号確認用自動応答装置に対して発信した際に通知される発信電話番号を、番号確認用自動応答装置が取得し、取得した電話番号に対して番号確認用送受信装置が発信し、取得した電話番号を番号確認用送受信装置に対して送信することにより電話番号を確認する電話番号確認方法が開示されている。
【０００３】
【特許文献１】特開２００５−１３６５４３号公報
【発明の開示】
【発明が解決しようとする課題】
【０００４】
上記特許文献１に開示されている技術は、アナログ電話回線、ＩＳＤＮ回線など標準化された回線に適用可能であるが、ボタン電話システムや構内交換電話システムのようにメーカ毎に制御方式の異なる専用システムにおいても、設置保守の際に内線電話機の内線番号を確認したい場合がある。
【０００５】
しかし、上記特許文献１の技術を、ボタン電話システムや構内交換電話システムに適用する場合、メーカ毎に制御方式が異なるため、専用の送受信装置と専用の自動応答装置が必要になり、汎用的に利用することはできない。
【０００６】
また、回線交換方式のボタン電話システムや構内交換電話システムの場合、内線電話回線毎に番号確認用送受信装置を接続する必要があり、大規模システムの新設工事の際には接続作業に時間が掛かる。
【０００７】
さらに、バス配線やＬＡＮ配線を採用したボタン電話システムや構内交換電話システムでは、内線電話機毎に接続される電話回線が物理的に分離されていないため、適用できないという問題がある。
【０００８】
本発明は上記事情を鑑みてなされたものであり、本発明の目的は、簡単な操作で、複数の電話機にそれぞれ割り当てられた電話番号を確認できるようにすることにある。
【課題を解決するための手段】
【０００９】
上記課題を解決するために、本発明は、異なる電話番号を当該電話機毎に送信し、送信された電話番号を自電話機の電話番号として確認する旨の応答があった電話機に対して、直前に送信した電話番号を確認登録する。
【００１０】
例えば、本発明の第１の態様は、複数の電話機と、それぞれの電話機の識別情報に対応付けて電話番号を格納する電話番号管理テーブルを参照して、着信先の電話機の電話番号を指定する呼を、当該電話番号に対応する電話機へ着信させる主装置と、それぞれの電話機に割り当てられた番号を確認する番号確認装置とを備える電話システムであって、番号確認装置は、電話番号を含む番号通知を、複数の電話機へ送信する番号送信手段と、複数の電話機のいずれかから、当該電話機の識別情報を含む番号確認登録要求を受信した場合に、当該番号確認登録要求に含まれる電話機の識別情報に、送信された番号通知に含まれていた電話番号を対応付けて、電話番号管理テーブルに確認登録する番号確認登録手段とを有し、複数の電話機のそれぞれは、番号確認装置から番号通知を受信した場合に、当該番号通知に含まれている電話番号を表示する表示手段と、ユーザからの操作情報を受け付ける操作手段と、表示手段によって表示されている電話番号を、自電話機の電話番号として確認する旨の第一の操作を、操作手段を介してユーザから受け付けた場合に、自電話機の識別情報を含む番号確認登録要求を、番号確認装置へ送信する番号確認登録要求手段とを有することを特徴とする電話システムを提供する。
【００１１】
また、本発明の第２の態様は、複数の電話機に割り当てられた電話番号を確認する番号確認装置であって、電話番号を含む番号通知を、複数の電話機へ送信する番号送信手段と、複数の電話機のいずれかから、当該電話機の識別情報を含む番号確認登録要求を受信した場合に、当該番号確認登録要求に含まれる電話機の識別情報に、送信された番号通知に含まれていた電話番号を対応付けて、電話番号管理テーブルに確認登録する番号確認登録手段とを備えることを特徴とする番号確認装置を提供する。
【発明の効果】
【００１２】
本発明によれば、簡単な操作で、複数の電話機のそれぞれに割り当てられた電話番号を確認することができる。
【発明を実施するための最良の形態】
【００１３】
以下、本発明の実施形態について説明する。
【００１４】
図１は、本発明の一実施形態に係る電話システム１０の構成を示すシステム構成図である。電話システム１０は、主装置２０、番号確認装置３０、および複数の電話機４０を備える。
【００１５】
複数の電話機４０のそれぞれは、ＬＡＮ（Local Area Network）１３に接続され、当該ＬＡＮ１３を介して他の電話機４０と、あるいは、外部ネットワーク１２を介して外部の電話機１１と通信する。本実施形態の電話システム１０は、例えばボタン電話システムであり、それぞれの電話機４０は、例えばボタン電話である。
【００１６】
主装置２０は、ＩＰ（Internet Protocol）ネットワーク等の外部ネットワーク１２およびＬＡＮ１３に接続され、ＬＡＮ１３を介して複数の電話機４０を制御する。主装置２０は、それぞれの電話機４０の識別情報に当該電話機４０の電話番号が対応付けられた番号管理テーブルを参照して、外部ネットワーク１２を介して外部の電話機１１から受けた着信の着信先を特定し、特定した着信先の電話機４０へ、当該着信を転送し、当該着信に応答した電話機４０と当該外部の電話機１１との通信を中継する。
【００１７】
また、主装置２０は、ＬＡＮ１３を介していずれかの電話機４０から受け付けた外線発信に基づいて、外部ネットワーク１２を介して着信先の外部の電話機１１へ発信を行うことにより、当該電話機４０と当該外部の電話機１１との通信を中継する。また、主装置２０は、番号管理テーブルを参照して、ＬＡＮ１３を介した電話機４０同士の内線通信を中継する。
【００１８】
番号確認装置３０は、複数の電話機４０のそれぞれに割り当てられた電話番号を確認登録することにより、番号管理テーブルを更新し、更新した番号管理テーブルを主装置２０に供給する。
【００１９】
図２は、主装置２０の詳細な機能構成の一例を示すブロック図である。主装置２０は、番号管理テーブル格納部２１、番号管理テーブル更新部２２、および呼処理部２３を備える。
【００２０】
番号管理テーブル格納部２１は、例えば図３に示すように、それぞれの電話機４０を識別する電話機ＩＤ２１０に電話番号２１１が対応付けられた番号管理テーブルを格納する。電話機ＩＤ２１０は、例えば電話機４０のＩＰアドレスやＭＡＣ（Media Access Control）アドレス等である。
【００２１】
呼処理部２３は、番号管理テーブル格納部２１内の番号管理テーブルを参照して、外部ネットワーク１２を介して外部の電話機１１から受け付けた外線着信の着信先を特定し、特定した着信先の電話機４０へ、当該外線着信を転送することにより、着信先の電話機４０と発信元の外部の電話機１１との通信を中継する処理、ＬＡＮ１３を介していずれかの電話機４０から受け付けた外線発信に基づいて、外部ネットワーク１２を介して着信先の外部の電話機１１へ発信を行うことにより、当該電話機４０と当該外部の電話機１１との通信を中継する処理、および、番号管理テーブル格納部２１内の番号管理テーブルを参照して、電話機４０同士の通信を中継する処理等を行う。
【００２２】
図４は、番号確認装置３０の詳細な機能構成の一例を示すブロック図である。番号確認装置３０は、番号管理テーブル格納部３１、電話機情報格納部３２、番号確認登録部３３、番号選択部３４、および番号送信部３５を備える。
【００２３】
電話機情報格納部３２には、例えば図５に示すように、電話番号を確認登録する対象の電話機４０の電話機ＩＤ３２０が格納される。電話機情報格納部３２内の情報は、管理者等によって予め設定される。番号管理テーブル格納部３１には、例えば図６に示すように、番号確認登録部３３によって確認登録された、電話機ＩＤ３１０および電話番号３１１の組を有する番号管理テーブルが格納される。
【００２４】
番号選択部３４は、ＬＡＮ１３を介して電話機４０から、番号確認処理において最初に同報送信される番号通知に含まれる電話番号である開始番号を含む番号確認開始要求を受信した場合に、電話機４０の電話番号を確認する番号確認処理の開始を、複数の電話機４０のそれぞれに、例えばマルチキャストにより通知する。
【００２５】
そして、番号選択部３４は、番号確認開始要求に含まれる開始番号を最初に送信する電話番号として選択し、選択した電話番号を番号確認登録部３３および番号送信部３５に通知する。また、番号選択部３４は、番号確認登録部３３から電話番号が確認された旨を通知された場合に、番号管理テーブル格納部３１および電話機情報格納部３２を参照して、電話機情報格納部３２内に格納されている全ての電話機ＩＤ３２０に、電話番号３１１の確認登録が対応付けられているか否かを判定する。
【００２６】
電話機情報格納部３２内に格納されている電話機ＩＤ３２０の中で、電話番号３１１の確認登録が対応付けられていないものがある場合、番号選択部３４は、次の電話番号を１つ選択し、選択した電話番号を番号確認登録部３３および番号送信部３５に通知する。本実施形態において、番号選択部３４は、前回選択した電話番号の値に１を加えた値を次の電話番号として選択する。
【００２７】
また、他の形態として、番号選択部３４は、電話番号が所定の順番で予め登録されたテーブルを参照して、前回選択した電話番号の次に登録されている電話番号を選択したり、前回選択した電話番号の値に１以外の所定値を加えた値を電話番号として選択するようにしてもよい。
【００２８】
電話機情報格納部３２内に格納されている全ての電話機ＩＤ３２０に、電話番号３１１の確認登録が対応付けられている場合、番号選択部３４は、番号管理テーブル格納部３１に格納されている番号管理テーブルを、ＬＡＮ１３を介して主装置２０へ送り、番号確認処理の終了を、複数の電話機４０のそれぞれに、例えばマルチキャストにより通知する。
【００２９】
また、番号選択部３４は、ＬＡＮ１３を介して電話機４０から次の電話番号を要求する次番号要求を受信した場合に、次の電話番号を１つ選択し、選択した電話番号を番号確認登録部３３および番号送信部３５に通知する。
【００３０】
なお、次番号要求には、ステップを示す情報が含まれ、番号選択部３４は、当該ステップに基づいて、次の電話番号を選択するようにしてもよい。例えば、次番号要求に、「１０」を示すステップ情報が含まれている場合、番号選択部３４は、前回選択した電話番号に１０を加えた値を次の電話番号として選択する。
【００３１】
また、番号選択部３４は、番号確認処理の強制終了を示す終了指示を、ＬＡＮ１３を介していずれかの電話機４０から受信した場合に、番号管理テーブル格納部３１に格納されている番号管理テーブルを、ＬＡＮ１３を介して主装置２０へ送り、番号確認処理の終了を、複数の電話機４０のそれぞれに、例えばマルチキャストにより通知する。
【００３２】
番号送信部３５は、番号選択部３４から通知された電話番号を含む番号通知を生成し、生成した番号通知を、ＬＡＮ１３を介して複数の電話機４０へ、例えばマルチキャストにより同報送信する。
【００３３】
番号確認登録部３３は、ＬＡＮ１３を介して、いずれかの電話機４０から、当該電話機４０の識別情報を含む番号確認登録要求を受信した場合に、直前に番号選択部３４から通知された電話番号を、当該番号確認登録要求に含まれる識別情報に対応付けて番号管理テーブル格納部３１に格納し、電話番号を確認した旨を番号選択部３４に通知する。そして、番号確認登録部３３は、確認登録した電話番号を含む確認登録応答を、当該電話番号の確認登録対象の電話機４０へ、例えばユニキャストにより通知する。
【００３４】
なお、他の形態として、それぞれの電話機４０は、自電話機に設定されるべき電話番号を、番号確認登録要求と共に番号設定装置３０へ送信し、番号確認登録部３３は、いずれかの電話機４０から、電話番号を示す情報と共に番号確認登録要求を受信した場合に、当該電話番号を、当該番号確認登録要求に含まれる識別情報に対応付けて番号管理テーブル格納部３１に格納するようにしてもよい。
【００３５】
図７は、電話機４０の詳細な機能構成の一例を示すブロック図である。電話機４０は、番号確認開始要求部４１、番号確認登録要求部４２、次番号要求部４３、終了指示送信部４４、表示部４５、および操作部４６を備える。なお、図７に示す例では、本実施形態に特有の番号確認処理に必要な電話機４０の機能を示しており、ボタン電話としての通常の機能については省略している。
【００３６】
表示部４５は、ＬＡＮ１３を介して番号確認装置３０から通知される情報に従って、電話機４０の動作モードを変更したり、番号確認装置３０から通知された情報を電話機４０が有するＬＣＤ（Liquid Crystal Display）等の表示装置に表示する処理を行う。
【００３７】
番号確認装置３０から通知され、表示部４５に表示される情報には、例えば、番号確認処理中である旨を示す情報、同報送信された番号通知に含まれる電話番号、および自電話機４０に対して確認登録された電話番号等がある。
【００３８】
操作部４６は、キーパッドや受話器と連動するフックスイッチ等であり、ユーザによる操作を操作信号に変換して番号確認開始要求部４１、番号確認登録要求部４２、次番号要求部４３、および終了指示送信部４４へ送る。
【００３９】
番号確認開始要求部４１は、開始番号を指定する操作に続けて、番号確認処理の開始を要求する旨の操作を、操作部４６を介してユーザから受け付けた場合に、指定された開始番号を含む番号確認開始要求を、ＬＡＮ１３を介して番号確認装置３０へ送信する。
【００４０】
番号確認開始要求部４１は、例えば、数字キーが押下された後に、所定時間以内に「＊」ボタンが５回連続して押下された場合に、押下された数字キーに応じた番号を開始番号として含む番号確認開始要求を番号確認装置３０へ送信する。なお、数字キーが押下されることなく「＊」が連続して５回押下された場合、番号確認開始要求部４１は、開始番号として初期設定値を含む番号確認開始要求を番号確認装置３０へ送信する。
【００４１】
番号確認登録要求部４２は、現在表示部４５に表示されている電話番号を、自電話機４０の電話番号として確認する旨の操作を、操作部４６を介してユーザから受け付けた場合に、自電話機４０の識別情報を含む番号確認登録要求を、ＬＡＮ１３を介して番号確認装置３０へ送信する。
【００４２】
番号確認登録要求部４２は、例えば、受話器を上げて戻す操作（オフフックした後にオンフックさせる操作）を、現在表示部４５に表示されている電話番号を自電話機４０の電話番号として確認する旨の操作として検出する。
【００４３】
次番号要求部４３は、次の電話番号を要求する旨の操作を、操作部４６を介してユーザから受け付けた場合に、次番号要求をＬＡＮ１３を介して番号確認装置３０へ送信する。次番号要求部４３は、例えば、「＃」ボタンが押下された場合に、次番号要求を送信する。なお、数字キーが押下された後に、所定時間以内に「＃」の押下を検出した場合、次番号要求部４３は、押下された数字キーで示される値をステップ数とする次番号要求を番号確認装置３０へ送信してもよい。
【００４４】
終了指示送信部４４は、番号確認処理の強制終了を示す操作を、操作部４６を介してユーザから受け付けた場合に、終了指示をＬＡＮ１３を介して番号確認装置３０へ送信する。終了指示送信部４４は、例えば「＊」ボタンと「＃」ボタンとが同時に押下される操作を、番号確認処理の強制終了を示す操作として検出する。
【００４５】
図８は、番号確認装置３０の動作の一例を示すフローチャートである。番号選択部３４がいずれかの電話機４０から番号確認開始要求を受信することにより、番号確認装置３０は、本フローチャートに示す動作を開始する。
【００４６】
まず、番号選択部３４は、現在の番号確認管理状態を知るために、番号送信部３５を介して主装置２０へ番号管理テーブル要求を送信し（Ｓ１００）、主装置２０から番号管理テーブルを受信したか否かを判定する（Ｓ１０１）。主装置２０から番号管理テーブルを受信した場合（Ｓ１０１：Ｙｅｓ）、番号選択部３４は、受信した番号管理テーブルを、番号確認登録部３３を介して番号管理テーブル格納部３１に格納する（Ｓ１０２）。
【００４７】
次に、番号選択部３４は、番号確認開始通知を複数の電話機４０へ例えばマルチキャストにより同報送信する（Ｓ１０２）。そして、番号選択部３４は、電話機４０から受信した番号確認開始要求に含まれる電話番号に従って、番号確認処理において最初に同報送信する電話番号を開始番号として１つ選択し（Ｓ１０３）、選択した電話番号を番号確認登録部３３および番号送信部３５に通知する。
【００４８】
番号送信部３５は、番号選択部３４から通知された電話番号を含む番号通知を、該当する電話機４０へ送信する（Ｓ１０４）。そして、番号確認登録部３３は、該当する電話機４０から番号確認登録要求を受信したか否かを判定する（Ｓ１０５）。
【００４９】
番号確認登録要求を受信した場合（Ｓ１０５：Ｙｅｓ）、番号確認登録部３３は、直前に番号選択部３４から通知された電話番号を、当該番号確認登録要求に含まれる識別情報に対応付けて番号管理テーブル格納部３１に確認番号を登録し（Ｓ１０６）、電話番号を確認した旨を番号選択部３４に通知する。そして、番号確認登録部３３は、確認登録した電話番号を、当該電話番号の確認登録対象の電話機４０へ、例えばユニキャストにより通知する（Ｓ１０７）。
【００５０】
次に、番号選択部３４は、番号管理テーブル格納部３１および電話機情報格納部３２を参照して、電話機情報格納部３２内に格納されている全ての電話機ＩＤに、電話番号の確認登録が対応付けられているか否かを判定する（Ｓ１０８）。電話機情報格納部３２内に格納されている全ての電話機ＩＤに、電話番号の確認登録が対応付けられていない場合（Ｓ１０８：Ｎｏ）、番号選択部３４は、ステップＳ１１２に示す処理を実行する。
【００５１】
電話機情報格納部３２内に格納されている全ての電話機ＩＤに、電話番号の確認登録が対応付けられている場合（Ｓ１０８：Ｙｅｓ）、番号選択部３４は、番号確認処理の終了を、複数の電話機４０のそれぞれに、例えばマルチキャストにより同報送信する。（Ｓ１０９）そして、番号選択部３４は、番号管理テーブル格納部３１に格納されている番号管理テーブルを、ＬＡＮ１３を介して主装置２０へ送信し（Ｓ１１０）番号確認装置３０は、本フローチャートに示す動作を終了する。
【００５２】
ステップＳ１０５において、番号確認登録要求を受信していない場合（Ｓ１０５：Ｎｏ）、番号選択部３４は、次番号要求を受信したか否かを判定する（Ｓ１１１）。次番号要求を受信した場合（Ｓ１１１：Ｙｅｓ）、番号選択部３４は、次の電話番号を１つ選択し、選択した電話番号を番号確認登録部３３および番号送信部３５に通知する（Ｓ１１２）。そして、番号送信部３５は、番号選択部３４から通知された電話番号を含む番号通知を、複数の電話機４０へ送信し選択した電話番号を含む番号通知を、該当する電話機４０へ送信する（Ｓ１１３）、番号確認登録部３３は、再びステップＳ１０５に示した処理を実行する。
【００５３】
ステップＳ１１１において、次番号要求を受信していない場合（Ｓ１１１：Ｎｏ）、番号選択部３４は、終了指示を受信したか否かを判定する（Ｓ１１４）。終了指示を受信していない場合（Ｓ１１４：Ｎｏ）、番号選択部３４は、再びステップＳ１０３に示した処理を実行する。終了指示を受信した場合（Ｓ１１４：Ｙｅｓ）、番号選択部３４は、ステップＳ１０９に示した処理を実行する。
【００５４】
図９および図１０は、電話機４０の動作の一例を示すフローチャートである。例えば電源投入等の所定のタイミングで、電話機４０は、本フローチャートに示す動作を開始する。なお、発着信等のボタン電話としての通常の処理に関しては本フローチャートでは省略されている。
【００５５】
まず、番号確認開始要求部４１は、操作部４６を介して、番号確認処理の開始を要求する操作を検出したか否かを判定する（Ｓ２００）。番号確認処理の開始を要求する操作を検出した場合（Ｓ２００：Ｙｅｓ）、番号確認開始要求部４１は、番号確認開始要求を、ＬＡＮ１３を介して番号確認装置３０へ送信し（Ｓ２０１）、再びステップＳ２００に示した処理を実行する。
【００５６】
なお、ステップＳ２０１において、開始番号を指定する操作に続けて、番号確認処理の開始を要求する旨の操作を受け付けた場合、番号確認開始要求部４１は、指定された開始番号を含む番号確認開始要求を、ＬＡＮ１３を介して番号確認装置３０へ送信する。開始番号を指定する操作を受け付けていない場合、番号確認開始要求部４１は、初期設定値等の予め設定されている番号を開始番号として含む番号確認開始要求を送信する。
【００５７】
番号確認処理の開始を要求する操作を検出していない場合（Ｓ２００：Ｎｏ）、表示部４５は、番号確認開始通知を受信したか否かを判定する（Ｓ２０２）。番号確認開始通知を受信した場合（Ｓ２０２：Ｙｅｓ）、表示部４５は、番号確認処理中である旨を表示装置に表示し（Ｓ２０３）、番号確認開始要求部４１は、再びステップＳ２００に示した処理を実行する。
【００５８】
番号確認開始通知を受信していない場合（Ｓ２０２：Ｎｏ）、表示部４５は、番号通知を受信したか否かを判定する（Ｓ２０４）。番号通知を受信した場合（Ｓ２０４：Ｙｅｓ）、表示部４５は、受信した番号通知に含まれる電話番号を表示装置に表示し（Ｓ２０５）、番号確認開始要求部４１は、再びステップＳ２００に示した処理を実行する。
【００５９】
番号通知を受信していない場合（Ｓ２０４：Ｎｏ）、番号確認登録要求部４２は、操作部４６を介して、番号の確認登録を要求する操作を検出したか否かを判定する（Ｓ２０６）。番号の確認登録を要求する操作を検出した場合（Ｓ２０６：Ｙｅｓ）、番号確認登録要求部４２は、自電話機４０の識別情報を含む番号確認登録要求を、ＬＡＮ１３を介して番号確認装置３０へ送信し（Ｓ２０７）、番号確認開始要求部４１は、再びステップＳ２００に示した処理を実行する。
【００６０】
番号の確認登録を要求する操作を検出していない場合（Ｓ２０６：Ｎｏ）、表示部４５は、確認登録応答を受信したか否かを判定する（Ｓ２０８）。確認登録応答を受信した場合（Ｓ２０８：Ｙｅｓ）、表示部４５は、受信した確認登録応答に含まれる電話番号を、自電話機４０に対して確認登録された電話番号として表示装置に表示し（Ｓ２０９）、番号確認開始要求部４１は、再びステップＳ２００に示した処理を実行する。
【００６１】
確認登録応答を受信していない場合（Ｓ２０８：Ｎｏ）、次番号要求部４３は、操作部４６を介して、次番号を要求する操作を検出したか否かを判定する（Ｓ２１０）。次番号を要求する操作を検出した場合（Ｓ２１０：Ｙｅｓ）、次番号要求部４３は、次番号要求をＬＡＮ１３を介して番号確認装置３０へ送信し（Ｓ２１１）、番号確認開始要求部４１は、再びステップＳ２００に示した処理を実行する。
【００６２】
次番号を要求する操作を検出していない場合（Ｓ２１０：Ｎｏ）、終了指示送信部４４は、番号確認処理の強制終了を要求する操作を検出したか否かを判定する（Ｓ２１２）。番号確認処理の強制終了を要求する操作を検出した場合（Ｓ２１２：Ｙｅｓ）、終了指示送信部４４は、終了指示をＬＡＮ１３を介して番号確認装置３０へ送信し（Ｓ２１３）、番号確認開始要求部４１は、再びステップＳ２００に示した処理を実行する。
【００６３】
番号確認処理の強制終了を要求する操作を検出していない場合（Ｓ２１２：Ｎｏ）、表示部４５は、番号確認終了通知を受信したか否かを判定する（Ｓ２１４）。番号確認終了通知を受信していない場合（Ｓ２１４：Ｎｏ）、番号確認開始要求部４１は、再びステップＳ２００に示した処理を実行する。番号確認終了通知を受信した場合（Ｓ２１４：Ｙｅｓ）、表示部４５は、電話機４０を通常動作モードへ移行させ、電話機４０は、本フローチャートに示す動作を終了する。
【００６４】
次に、番号確認処理における電話システム１０全体の動作について、図１１を用いて説明する。図１１は、電話システム１０の動作の一例を示すシーケンス図である。
【００６５】
まず、番号確認装置３０は、いずれかの電話機４０（本例では電話機４０−２）から送信された番号確認開始要求を受信し（Ｓ３００）、番号管理テーブル要求を主装置２０へ送信する（Ｓ３０１）。番号管理テーブル要求を受信した主装置２０は、番号管理テーブルを番号確認設定装置３０へ送信する（Ｓ３０２）。番号管理テーブルを受信した番号確認設定装置３０は、受信した番号管理テーブルを番号管理テーブル格納部３１に格納して、番号確認開始通知を複数の電話機４０へ同報送信する（Ｓ３０３）。それぞれの電話機４０は、番号確認処理中である旨を表示する（Ｓ３０５）。
【００６６】
次に、番号確認装置３０は、受信した番号確認開始要求に含まれる電話番号に従って、最初に送信する電話番号を１つ選択し（Ｓ３０４）、選択した電話番号を含む番号通知を、該当する電話機４０へ送信する（Ｓ３０６）。選択した番号に該当する電話機４０のみ（この場合は電話機４０−１）電話番号を表示する（Ｓ３０７）。
【００６７】
次に、該当する電話機４０（この場合は電話機４０−１）が、自電話機４０の識別情報を含む番号確認登録要求を番号確認装置３０へ送信し（Ｓ３０８）、番号確認装置３０は、ステップＳ３０６で送信した番号通知に含まれる電話番号を、番号確認登録要求に含まれる識別情報に対応付けて番号確認装置３０内の番号管理テーブルに登録する（Ｓ３０９）。
【００６８】
そして、番号確認装置３０は、登録した電話番号を含む確認登録応答を、当該電話番号を確認登録した電話機４０へ、例えばユニキャストにより送信し（Ｓ３１０）確認登録応答を受信した電話機４０は、確認登録応答に含まれる電話番号を、自電話機４０に対して確認登録された電話番号として表示する（Ｓ３１１）。
【００６９】
次に、番号確認装置３０は、所定のルールに従って次の電話番号を１つ選択し（Ｓ３１２）、選択した電話番号を含む番号通知を、該当する電話機４０へ送信する（Ｓ３１３）。該当する電話機４０（この場合は電話機４０−２）は、受信した番号通知に含まれる電話番号を表示する（Ｓ３１４）。
【００７０】
このとき、既に確認登録応答を受信している電話機４０（この場合は電話機４０−１）は、その後に次の番号通知が送信されても、確認登録応答に含まれる電話番号の表示を続ける。
【００７１】
次に、該当する電話機４０（この場合は電話機４０−２）が、自電話機４０の識別情報を含む番号確認登録要求を番号確認装置３０へ送信し（Ｓ３１５）、番号確認装置３０は、ステップＳ３１３で同報送信した番号通知に含まれる電話番号を、番号確認登録要求に含まれる識別情報に対応付けて確認登録する（Ｓ３１６）。そして、番号確認装置３０は、確認登録した電話番号を含む確認登録応答を、電話番号を確認登録した電話機４０へ、例えばユニキャストにより送信し（Ｓ３１７）確認登録応答を受信した電話機４０は、確認登録応答に含まれる電話番号を表示する（Ｓ３１８）。
【００７２】
同様にして、電話機４０−３に対して、次番号の選択（Ｓ３１９）、該当する電話機４０への番号通知（Ｓ３２０）、確認番号の表示（Ｓ３２１）、確認要求の送信（Ｓ３２２）、電話番号の確認登録（Ｓ３２３）、確認登録応答の送信（Ｓ３２４）、および確認登録された電話番号の表示（Ｓ３２５）が実行される。
【００７３】
なお、上記実施形態では電話番号毎に該当する電話機に番号通知を行い、通知された番号を電話機に表示し、番号確認操作が行われると、次の番号通知が行われ、該当する電話機が番号表示を行うようにしたが、番号確認開始通知の後に、全ての電話機に対して該当する番号通知を行い、全ての電話機が該当する番号表示を行い、この状態で、一台づつ番号確認操作が行われるようにしても良い。
また、番号確認操作をせずに一定時間が経過した場合は、自動的に番号に間違いの無いことが確認されたものとみなし、自動的に次の番号通知が行われるようにしても良い。
【００７４】
そして、電話番号の確認登録対象の全ての電話機４０について、電話番号の確認登録が終了したことを検出した場合（Ｓ３２６）、番号確認装置３０は、番号確認終了通知を、複数の電話機４０へ同報送信する（Ｓ３２７）。それぞれの電話機４０は、番号確認終了通知を受信して、通常動作モードへ移行する（Ｓ３２８）。番号確認装置３０は、番号管理テーブルを主装置２０へ送信する（Ｓ３２９）。
【００７５】
以上、本発明の実施形態について説明した。
【００７６】
上記説明から明らかなように、本実施形態の電話システム１０によれば、簡単な操作で、複数の電話機４０のそれぞれに割り当てられた電話番号を確認することができる。
【００７７】
なお、本発明は上記した実施形態に限定されるものではなく、その要旨の範囲内で数々の変形が可能である。
【００７８】
例えば、上記した実施形態では、電話機４０は、ボタン電話であり、主装置２０および複数の電話機４０は、ボタン電話システムを構成していたが、他の形態として、それぞれの電話機４０は、それぞれが単体で発着信が可能なＩＰ電話機等であってもよい。
【００７９】
また、上記した実施形態において、主装置２０と、番号確認装置３０とは、それぞれ別々の装置として説明したが、他の形態として、これらの装置は１つの装置として実現されていてもよい。
【図面の簡単な説明】
【００８０】
【図１】本発明の一実施形態に係る電話システム１０の構成を示すシステム構成図である。
【図２】主装置２０の詳細な機能構成の一例を示すブロック図である。
【図３】番号管理テーブル格納部２１に格納される番号管理テーブルのデータ構造の一例を示す図である。
【図４】番号確認装置３０の詳細な機能構成の一例を示すブロック図である。
【図５】電話機情報格納部３２に格納されるデータの構造の一例を示す図である。
【図６】番号管理テーブル格納部３１に格納される番号管理テーブルのデータ構造の一例を示す図である。
【図７】電話機４０の詳細な機能構成の一例を示すブロック図である。
【図８】番号確認装置３０の動作の一例を示すフローチャートである。
【図９】電話機４０の動作の一例を示すフローチャートである。
【図１０】電話機４０の動作の一例を示すフローチャートである。
【図１１】電話システム１０の動作の一例を示すシーケンス図である。
【符号の説明】
【００８１】
１０・・・電話システム、１１・・・外部の電話機、１２・・・外部ネットワーク、１３・・・ＬＡＮ、２０・・・主装置、２１・・・番号管理テーブル格納部、２１０・・・電話機ＩＤ、２１１・・・電話番号、２２・・・番号管理テーブル更新部、２３・・・呼処理部、３０・・・番号確認装置、３１・・・番号管理テーブル格納部、３１０・・・電話機ＩＤ、３１１・・・電話番号、３２・・・電話機情報格納部、３２０・・・電話機ＩＤ、３３・・・番号確認登録部、３４・・・番号選択部、３５・・・番号送信部、４０・・・電話機、４１・・・番号確認開始要求部、４２・・・番号確認登録要求部、４３・・・次番号要求部、４４・・・終了指示送信部、４５・・・表示部、４６・・・操作部
【図１】
2008227903.tif 000003
【図２】
2008227903.tif 000004
【図３】
2008227903.tif 000005
【図４】
2008227903.tif 000006
【図５】
2008227903.tif 000007
【図６】
2008227903.tif 000008
【図７】
2008227903.tif 000009
【図８】
2008227903.tif 000010
【図９】
2008227903.tif 000011
【図１０】
2008227903.tif 000012
【図１１】
2008227903.tif 000013